(57)【要約】【課題】無電力で収容部の空間の除湿環境を維持できる無電力温度調整設備を提供すること。【解決手段】収容部１０と、収容部１０内の空気を給排する経路とを備える無電力温度調整設備であって、収容部の経路には、電力が供給されている状態で経路を開放し、電力が供給されていない状態で経路を閉塞する第１電磁弁が設けられ、収容部１０内には、収容部１０内の熱を吸収する機能を有する複数の吸熱構造体３０が設けられており、吸熱構造体３０は、吸熱積層体４０と、ケース５０と、連通部７０と、電力が供給されている状態で連通部７０を閉塞し、電力が供給されていない状態で連通部７０を開放する第２電磁弁３２と、を備え、吸熱積層体４０は、金属箔４１ａ及び水素吸蔵合金４１ｂで構成される板状の吸熱板４１と、水素吸蔵合金４１ｂに接触するように吸熱板４１に積層される多孔質構造をなす板状のセパレータ４２と、を備える。【選択図】図３
2020115057.tif 000002
【特許請求の範囲】
【請求項１】
蓄電装置の製造において有機溶剤を用いる工程を実施するとともに除湿機により除湿された空間を有する収容部と、前記収容部内の空気を給排する経路とを備える無電力温度調整設備であって、
前記収容部の前記経路には、電力が供給されている状態で前記経路を開放し、電力が供給されていない状態で前記経路を閉塞する第１電磁弁が設けられ、
前記収容部内には、前記収容部内の熱を吸収する機能を有する複数の吸熱構造体が設けられており、
前記吸熱構造体は、
前記収容部内の熱を吸収する吸熱積層体と、
前記吸熱積層体を収容するケースと、
前記ケースの内部と外部とを連通する連通部と、
電力が供給されている状態で前記連通部を閉塞し、電力が供給されていない状態で前記連通部を開放する第２電磁弁と、を備え、
前記吸熱積層体は、
水素を可逆的に吸収又は放出できるとともに水素を吸収した状態で熱を吸収することにより水素を放出する水素吸蔵合金と、前記水素吸蔵合金を担持する保持体とで構成される板状の吸熱板と、
前記水素吸蔵合金に接触するように前記吸熱板に積層される多孔質構造をなす板状のセパレータと、を備えることを特徴とする無電力温度調整設備。
【請求項２】
前記吸熱板は、
前記保持体としての金属箔と、
前記金属箔の両面の少なくとも一方に前記水素吸蔵合金が設けられることで構成されていることを特徴とする請求項１に記載の無電力温度調整設備。
【請求項３】
前記複数の吸熱構造体は、互いに隣り合うように前記収容部の底面に並べられるとともに前記連通部が隣に配置される前記吸熱構造体に対向していることを特徴とする請求項１又は請求項２に記載の無電力温度調整設備。
【請求項４】
前記ケースの壁面には、前記収容部の前記空間の熱を吸収する吸熱フィンが設けられていることを特徴とする請求項１〜請求項３のいずれか一項に記載の無電力温度調整設備。
【請求項５】
前記複数の吸熱構造体は、互いに隣り合うように前記収容部の底面に並べられるとともに前記連通部が隣に配置される前記吸熱構造体に対向しており、
前記吸熱構造体の前記ケースには、隣り合う前記吸熱構造体の前記連通部が対向している前記壁面に前記吸熱フィンが設けられていることを特徴とする請求項４に記載の無電力温度調整設備。
【請求項６】
前記吸熱板は、
前記保持体としての金属箔と、
前記金属箔の両面の少なくとも一方に前記水素吸蔵合金が設けられることで構成され、
前記吸熱板と前記セパレータとが交互に積層され、
前記吸熱積層体は、
前記金属箔の一縁部から突出した複数のタブを前記吸熱板と前記セパレータとの積層方向に積層することで構成されるタブ群を有し、
前記タブ群は、
前記複数のタブが寄せ集められた基端部と、
前記基端部から前記吸熱積層体の前記タブ群が存在するタブ側端面に沿って延出している延出部と、を有し、
前記延出部と前記ケースの内面との間には伝熱性を有する板状の集熱板が挟み込まれていることを特徴とする請求項２〜５のいずれか一項に記載の無電力温度調整設備。
【請求項７】
前記第２電磁弁を基準として前記連通部の前記ケースと反対側には、オリフィス弁が設けられていることを特徴とする請求項１〜６のいずれか一項に記載の無電力温度調整設備。
【発明の詳細な説明】
【技術分野】
【０００１】
本発明は、無電力温度調整設備に関する。
【背景技術】
【０００２】
従来、建屋内に配置された複数のクリーンルームに建屋の外部の空気を供給し、供給された空気を建屋の外部に排出するクリーンルーム用空調システムが知られている（特許文献１参照）。
【先行技術文献】
【特許文献】
【０００３】
【特許文献１】特開２０１７−４８９４１号公報
【発明の概要】
【発明が解決しようとする課題】
【０００４】
クリーンルーム内に例えば蓄電装置を製造する空間を有する収容部が設置される場合を考える。収容部では、有機溶剤を使用することがある。有機溶剤に水分が含まれてしまうと蓄電装置の性能が低下してしまうことが考えられるため、収容部に供給される空気は十分に除湿されている必要がある。そのため、クリーンルーム内に蓄電装置を製造するための収容部を設置する場合には、除湿機を設置することでクリーンルームに導入される空気を除湿する必要がある。
【０００５】
ところで、停電等により除湿機に電力が供給されず、除湿機によって収容部の空間の除湿環境が維持できなくなる可能性がある。
本発明は、このような従来の技術に存在する問題点に着目してなされたものであり、その目的は、無電力で収容部の空間の除湿環境を維持できる無電力温度調整設備を提供することにある。
【課題を解決するための手段】
【０００６】
上記課題を解決する無電力温度調整設備は、蓄電装置の製造において有機溶剤を用いる工程を実施するとともに除湿機により除湿された空間を有する収容部と、前記収容部内の空気を給排する経路とを備える無電力温度調整設備であって、前記収容部の前記経路には、電力が供給されている状態で前記経路を開放し、電力が供給されていない状態で前記経路を閉塞する第１電磁弁が設けられ、前記収容部内には、前記収容部内の熱を吸収する機能を有する複数の吸熱構造体が設けられており、前記吸熱構造体は、前記収容部内の熱を吸収する吸熱積層体と、前記吸熱積層体を収容するケースと、前記ケースの内部と外部とを連通する連通部と、電力が供給されている状態で前記連通部を閉塞し、電力が供給されていない状態で前記連通部を開放する第２電磁弁と、を備え、前記吸熱積層体は、水素を可逆的に吸収又は放出できるとともに水素を吸収した状態で熱を吸収することにより水素を放出する水素吸蔵合金と、前記水素吸蔵合金を担持する保持体とで構成される板状の吸熱板と、前記水素吸蔵合金に接触するように前記吸熱板に積層される多孔質構造をなす板状のセパレータと、を備える。
【０００７】
例えば収容部の空間が除湿機により除湿されている場合を考える。このとき、吸熱積層体がケース内に収容された状態で水素吸蔵合金が水素を吸収した状態となっているものとする。
【０００８】
これによれば、停電等により除湿機に電力が供給されず、収容部の空間の除湿ができなくなると、まず第１電磁弁により収容部の経路が閉塞される。これにより、収容部の空間に存在する除湿された空気は、収容部の外部に排出されることが規制される。また、吸熱構造体を構成する第２電磁弁が連通部を開放する。次に、除湿機が機能しなくなり収容部の温度が上昇すると、収容部の熱がケースを介して吸熱積層体を構成する水素吸蔵合金に伝わる。水素吸蔵合金に熱が伝わると、水素吸蔵合金は熱を吸熱し自身が吸収していた水素をセパレータに形成される多くの気孔を介してケースの内部に放出する。これにより収容部の空間の温度が低く保たれる。したがって、無電力で収容部の空間の除湿環境を維持することができる。
【０００９】
上記の無電力温度調整設備において、前記吸熱板は、前記保持体としての金属箔と、前記金属箔の両面の少なくとも一方に前記水素吸蔵合金が設けられることで構成されているとよい。
【００１０】
例えば、蓄電装置は、板状の正極と板状の負極とを板状のセパレータにより絶縁された状態で積層されてなる電極組立体を有している。正極及び負極の少なくとも一方の面には、活物質層が形成される。
【００１１】
これによれば、上記した蓄電装置の電極組立体と同様の構成を採用して製造することができるため、吸熱積層体の製造が簡易的である。
上記の無電力温度調整設備において、前記複数の吸熱構造体は、互いに隣り合うように前記収容部の底面に並べられるとともに前記連通部が隣に配置される前記吸熱構造体に対向しているとよい。
【００１２】
これによれば、複数の吸熱構造体が互いに隣り合うように並べられている。このため、吸熱構造体の第２電磁弁を通じて収容部の空間に放出される水素を隣り合う吸熱構造体のケースの壁面に衝突させて収容部の上方に向けて拡散させやすくなる。よって、収容部の空間の空気中に水素を拡散させやすくなる。よって、収容部の空間に存在する有機溶剤をより水分に触れ難くすることができる。したがって、有機溶剤を使用している製品や、蓄電装置の性能が低下することをより好適に抑制できる。
【００１３】
上記の無電力温度調整設備において、前記ケースの壁面には、前記収容部の前記空間の熱を吸収する吸熱フィンが設けられているとよい。
これによれば、ケースが吸熱フィンを備えない場合と比べてケースが収容部の空間の空気と接触する表面積を大きくすることができる。よって、ケースの内部に収容された吸熱積層体に対して熱をより伝達しやすくなる。したがって、吸熱構造体の作用を好適に発揮することができる。
【００１４】
上記の無電力温度調整設備において、前記複数の吸熱構造体は、互いに隣り合うように前記収容部の底面に並べられるとともに前記連通部が隣に配置される前記吸熱構造体に対向しており、前記吸熱構造体の前記ケースには、隣り合う前記吸熱構造体の前記連通部が対向している前記壁面に前記吸熱フィンが設けられているとよい。
【００１５】
これによれば、吸熱構造体の第２電磁弁を通じて収容部の空間に放出される水素を隣り合う吸熱構造体のケースの壁面に当てて収容部の上方に向けて拡散させやすくなるとともに、ケースの壁面に設けられた吸熱フィンに隣り合う吸熱構造体から放出される水素が衝突する。吸熱フィンに水素が衝突するとき、水素は収容部の空間の空気も巻き込んで吸熱フィンに衝突することになる。そのため、吸熱フィンに衝突する空気の量も多くなる。したがって、吸熱フィンの収容部の空間の熱を吸収する効果がより促進され、ケースの内部に収容された吸熱積層体に対して熱を伝達する作用をより促進させることができる。
【００１６】
上記の無電力温度調整設備において、前記吸熱板は、前記保持体としての金属箔と、前記金属箔の両面の少なくとも一方に前記水素吸蔵合金が設けられることで構成され、前記吸熱板と前記セパレータとが交互に積層され、前記吸熱積層体は、前記金属箔の一縁部から突出した複数のタブを前記吸熱板と前記セパレータとの積層方向に積層することで構成されるタブ群を有し、前記タブ群は、前記複数のタブが寄せ集められた基端部と、前記基端部から前記吸熱積層体の前記タブ群が存在するタブ側端面に沿って延出している延出部と、を有し、前記延出部と前記ケースの内面との間には伝熱性を有する板状の集熱板が挟み込まれているとよい。
【００１７】
これによれば、集熱板が吸熱積層体のタブ群とケースの内面との間に挟み込まれているため、収容部の空間の熱がケース及び集熱板を介してタブ群に伝達され、ひいては吸熱積層体の水素吸蔵合金に伝わる。吸熱積層体のタブ群及び集熱板が熱を水素吸蔵合金に伝えるための経路として機能するため吸熱積層体の吸熱効率を向上させることができる。
【００１８】
また、タブ群は、基端部から吸熱積層体のタブ側端面に沿って折れ曲がった形状を有している。そのため、タブ群の延出部は折れ曲がった状態からまっすぐな状態に戻ろうとする。いわゆるタブ群には、ケースの内面に向けてスプリングバックが発生する。よって、集熱板は吸熱積層体のタブ群によりケースの内面に向けて押圧された状態にすることができる。したがって、ケースの内面に集熱板が押圧された状態に維持することができ、且つ集熱板の集熱効果を安定させることができる。
【００１９】
上記の無電力温度調整設備において、前記第２電磁弁を基準として前記連通部の前記ケースと反対側には、オリフィス弁が設けられているとよい。
ケースの内部に放出される水素が収容部の空間に急激に放出されると、収容部の空間の温度が急激に低下する可能性がある。
【００２０】
その点、これによれば、連通部にオリフィス弁を設けている。オリフィス弁は、収容部の空間とケースの内部の差圧によってケースの内部から収容部の空間に水素を放出する。具体的には、ケースの内部に吸熱積層体から水素が放出されるとケースの内部の圧力が上昇する。このとき、オリフィス弁が開放され、ケースの内部から第２電磁弁及びオリフィス弁を通じて収容部の空間に水素が放出される。ケースの内部の水素が収容部の空間に放出され、ケースの内部と収容部の空間との圧力が平衡圧となるときオリフィス弁が連通部を閉塞してケースの内部から収容部の空間に向けて水素が放出されなくなる。よって、オリフィス弁を設けることによりケースの内部から収容部の空間に向けての水素の放出量を調整することができる。したがって、停電等の状況において収容部の空間の除湿環境をより長く維持することができる。
【発明の効果】
【００２１】
この発明によれば、無電力で収容部の空間の除湿環境を維持できる。
【図面の簡単な説明】
【００２２】
【図１】無電力温度調整設備を示した概略図。
【図２】吸熱構造体の分解斜視図。
【図３】吸熱構造体の断面図。
【図４】変更例における吸熱構造体を示す断面図。
【図５】変更例の吸熱板を示した斜視図。
【図６】変更例における無電力温度調整設備を示した概略図。
【発明を実施するための形態】
【００２３】
以下、無電力温度調整設備を具体化した実施形態を図１〜図３にしたがって説明する。なお、本実施形態の無電力温度調整設備は、除湿機が接続されたドライルームに収容されることで空気循環設備を構成している。
【００２４】
図１に示すように、空気循環設備１００は、ドライルーム１０１と、無電力温度調整設備１と、除湿機１０３と、を備えている。
除湿機１０３は、ドライルーム１０１の外部に設けられている。ドライルーム１０１と除湿機１０３とは、供給通路１０５と送出通路１０６とにより接続されている。供給通路１０５は、除湿機１０３により除湿された空気をドライルーム１０１の内部に供給するために用いられている。送出通路１０６は、ドライルーム１０１の内部の空気を除湿機１０３に送出するために用いられている。除湿機１０３が稼働することでドライルーム１０１の内部は常に除湿されている。除湿機１０３には、空気を取り込む吸気口１０４が形成されている。除湿機１０３は、送出通路１０６により除湿機１０３に送出される空気及び吸気口１０４から吸気される空気を除湿している。ドライルーム１０１には、換気口１０７が設けられている。換気口１０７からは、ドライルーム１０１の内部の空気の一部が外部に送出される。ドライルーム１０１には、露点計が設けられており、露点計の数値をモニタリングすることによりドライルーム１０１の内部の除湿具合が把握されている。なお、換気口１０７は、ドライルーム１０１の内部を換気するために設けられているが、ドライルーム１０１の内部の空気を全て換気する機能はない。すなわち、換気口１０７の穴径は、ドライルーム１０１の内部の空気を徐々に換気できるように設定されている。
【００２５】
本実施形態の無電力温度調整設備１は、ドライルーム１０１の内部に設置されている。無電力温度調整設備１は、蓄電装置９５の製造において有機溶剤を用いる工程を実施するとともに除湿機１０３により除湿された空間Ｓを有する箱状の収容部１０と、収容部１０内の空気を給排する経路２０とを備えている。
【００２６】
蓄電装置９５は、正極と負極とを絶縁された状態で積層されてなる電極組立体を有するとともに、電極組立体を収容する有底筒状のケースを備えている。収容部１０の内部で実施される蓄電装置９５の製造工程は、例えば、電解液Ｏｓの注液工程、塗工工程、及びガス抜き工程等である。注液工程は、電極組立体を収容したケース内に電解液Ｏｓを注液する工程である。塗工工程は、電極組立体の電極を構成する長尺状の金属箔に有機溶剤を含むスラリー状の活物質合剤を塗工する工程である。塗工工程では、金属箔に塗工された活物質合剤が露出した状態になっている。ガス抜き工程は、注液工程後に蓄電装置９５を充放電させることにより蓄電装置９５を動作させた後、注液栓を外して蓄電装置９５の内部に溜まったガスを排出させる工程である。本実施形態の収容部１０の内部では、蓄電装置９５に有機溶剤で構成される電解液Ｏｓを注液する注液工程が実施される。ケースには、電解液Ｏｓを注液するための注液孔が形成されており、当該注液孔は、電極組立体を収容したケースに電解液Ｏｓを注液した後に注液栓によって塞がれる。本実施形態の注液工程では、ケースに電解液Ｏｓを注液し、注液後に注液栓により注液孔を塞ぐまでを含めて実施される。
【００２７】
経路２０は、複数の供給経路２１を有している。各供給経路２１は、例えば円筒状の配管の内側に形成されている。各供給経路２１は、ドライルーム１０１の内部において収容部１０の内部と外部とを連通している。各供給経路２１上には、第１電磁弁３１が設けられている。第１電磁弁３１は、電力が供給されている状態で常に供給経路２１を開放し、電力が供給されていない状態で常に供給経路２１を閉塞する機能を有している。そのため、第１電磁弁３１に電力が供給されている状態で、収容部１０の内部には、供給経路２１を介して除湿機１０３により除湿された空気が供給されている。これにより収容部１０の内部が除湿される。なお、収容部１０の内部で注液工程が実施されているときには、第１電磁弁３１には常に電力が供給されて開かれている。
【００２８】
また、経路２０は、循環経路２２を有している。循環経路２２は、両端が収容部１０に接続されており、収容部１０の内部の空気を循環させるための流路となる。循環経路２２上には、ファン２３及び吸着部２４で構成されるＦＦＵ（ファンフィルタユニット）と、第１電磁弁３１とが設けられている。循環経路２２に設けられる第１電磁弁３１は、供給経路２１に設けられているものと同じ構成である。循環経路２２に設けられる第１電磁弁３１は、循環経路２２の両端における収容部１０寄りに配置されている。吸着部２４は、循環経路２２上に設けられるケース２５に収容されている。ファン２３は、収容部１０の内部の空気を循環させる動力を発生させる機能を有している。吸着部２４は、収容部１０の内部に存在する可能性のある埃や塵等の異物、注液工程時に注液栓で注液孔を塞ぐ前までに揮発する可能性のある電解液Ｏｓ、及び収容部１０の内部に存在する可能性のある水分（湿気）を吸着する機能を有している。吸着部２４は、集塵フィルタ２４ａと、ケミカルフィルタ２４ｂとを備えている。集塵フィルタ２４ａは、上記の異物を吸着する。ケミカルフィルタ２４ｂは、揮発した電解液Ｏｓ及び水分を吸着する機能がある。すなわち、ケミカルフィルタ２４ｂは、収容部１０の内部を除湿する機能も有しているといえる。
【００２９】
ここで、ドライルーム１０１から収容部１０の内部への空気の導入方法について説明する。なお、ドライルーム１０１の内部の圧力、及び収容部１０の内部の圧力は、除湿機１０３が稼働する前の状態では同じであり、且つ第１電磁弁３１には電力が供給されている前提で説明する。
【００３０】
ドライルーム１０１から収容部１０の内部への空気の導入方法は、除湿機１０３の稼働の仕方によって決まる。具体的には、供給通路１０５からドライルーム１０１に供給される吸気の供給圧力を、ドライルーム１０１から送出通路１０６を介して除湿機１０３に送出される空気の圧力よりも大きくなるように除湿機１０３を稼働させる。このようにすることで、ドライルーム１０１の内部に供給される空気量が、ドライルーム１０１の外部に送出される空気量よりも多くなるため、ドライルーム１０１の内部の圧力が高くなる。すると、ドライルーム１０１の内部の圧力が収容部１０の内部の圧力よりも大きくなる。よって、ドライルーム１０１の内部の除湿された空気が供給経路２１を通じて収容部１０の内部に自然と導入される。収容部１０の内部に除湿された空気が供給経路２１を介して導入され、ドライルーム１０１の内部の圧力と収容部１０の内部の圧力とが同じになると、供給経路２１から収容部１０の内部への空気の導入が止まる。そのため、収容部１０の空間Ｓには、供給経路２１から供給されたドライルーム１０１の内部の除湿された空気が供給される。これにより、電解液Ｏｓに水分が混入し、蓄電装置９５の性能が低下してしまうことを抑制している。なお、ドライルーム１０１の内部の圧力は、ドライルーム１０１の外部の圧力よりも高くなっている。そのため、ドライルーム１０１の内部の空気は、自然と換気口１０７からドライルーム１０１の外部に送出されるため、ドライルーム１０１の換気が自然と実施される。
【００３１】
収容部１０の内部で注液工程を実施するときの環境について説明する。
本実施形態の収容部１０では注液工程が実施されるため、収容部１０及びドライルーム１０１の内部に水分がない状態にすること、及び注液工程を実施する作業者の環境衛生上の安全性の確保が肝要である。そのため、ドライルーム１０１及び収容部１０は、以下のような環境に設定されている。
【００３２】
ドライルーム１０１の内部は、低露点となっている。具体的には、ドライルーム１０１は、ドライルーム１０１の内部の露点が−３０℃となるように除湿機１０３で十分に除湿されている。収容部１０は、防爆仕様となっている。そのため、収容部１０の内部で注液工程が実施される場合、注液工程は、作業者がドライルーム１０１の内部であり、且つ収容部１０の外部にいる状態で実施される。
【００３３】
ここで、ドライルーム１０１の湿度が低く保たれていることから静電気等が発生しやすい環境になっている。収容部１０において有機溶剤で構成される電解液Ｏｓを使用しているため、本実施形態の空気循環設備１００では、ドライルーム１０１の除湿及び収容部１０の内部で揮発する電解液Ｏｓのバランスを考慮して注液工程を実施するときの環境が調整されている。
【００３４】
ところで、停電等により除湿機１０３に電力が供給されず、収容部１０の空間Ｓの除湿ができなくなる可能性がある。本実施形態の無電力温度調整設備１では、収容部１０の内部の温度を低く保つことで湿度を維持する構成を有している。
【００３５】
無電力温度調整設備１には、収容部１０の内部の熱を吸収する機能を有する複数の吸熱構造体３０が設けられている。複数の吸熱構造体３０は、互いに隣り合うように収容部１０の底面１０ａに並べられている。
【００３６】
図２及び図３に示すように、吸熱構造体３０は、収容部１０の内部の熱を吸収する吸熱積層体４０と、吸熱積層体４０を収容するケース５０とを有している。ケース５０は、有底四角筒状をなすケース本体５１と、ケース本体５１の開口を塞ぐ板状の蓋部材５２とを有している。なお、蓋部材５２とケース本体５１とは互いに溶接されることで固定されている。
【００３７】
吸熱積層体４０は、板状をなす複数の吸熱板４１と、板状をなす複数のセパレータ４２とを交互に積層することにより構成されている。
吸熱板４１は、保持体としてのシート状の金属箔４１ａと、シート状の水素吸蔵合金４１ｂとで構成されている。金属箔４１ａの両面には、水素吸蔵合金４１ｂが担持されている。水素吸蔵合金４１ｂは、水素を可逆的に吸収又は放出できる金属水素化物、例えばランタンニッケルファイブ（ＬａＮｉ５）により構成されている。水素吸蔵合金４１ｂは、水素を吸収した状態から水素を放出することで熱を吸収する特性を有している。吸熱構造体３０において、吸熱積層体４０がケース５０に収容された当初において、水素吸蔵合金４１ｂは水素を吸収していない状態である。その後、ケース５０の後述する連通部７０から水素がケース５０の内部に供給され、ケース５０の内部に供給された水素を吸熱積層体４０のセパレータ４２に形成された多数の孔を介して水素吸蔵合金４１ｂに吸収させる。水素吸蔵合金４１ｂに水素を吸収させるときには、吸熱積層体４０を取り巻く環境の温度は２０度前後に維持することが好ましい。以下、本実施形態における吸熱積層体４０の水素吸蔵合金４１ｂは、水素を十分に吸収している状態である。なお、金属箔４１ａ及び水素吸蔵合金４１ｂは、一般的に知られている蓄電装置としてのニッケル水素二次電池において使用される負極に採用されているものを使用している。具体的には、金属箔４１ａは銅箔であり、水素吸蔵合金４１ｂは、当該銅箔に塗工される負極用の活物質層である。また、吸熱積層体４０がケース５０に収容された状態において、吸熱板４１とセパレータ４２との積層方向における吸熱積層体４０とケース５０との間には放熱グリースが挟み込まれている。そのため、収容部１０の空間Ｓの熱は、ケース５０と放熱グリースを介して吸熱積層体４０に伝わる。
【００３８】
セパレータ４２は、吸熱板４１の水素吸蔵合金４１ｂに接触している。また、セパレータ４２は、多孔質構造をなしている。
吸熱板４１の金属箔４１ａは、金属箔４１ａの一縁部から突出した帯状のタブ４１ｃを有している。吸熱積層体４０は、複数のタブ４１ｃが吸熱板４１とセパレータ４２との積層方向において積層されることで構成されるタブ群４３を有している。
【００３９】
図２に示すように、吸熱積層体４０は、吸熱板４１とセパレータ４２とが積層された状態で、２つのタブ群４３を有している。２つのタブ群４３は、吸熱積層体４０のタブ群４３が存在しているタブ側端面４０ａの中央部を挟み込むように配置されている。すなわち、吸熱板４１及びセパレータ４２は、吸熱板４１とセパレータ４２とを交互に積層するときにセパレータ４２を挟み込む吸熱板４１のそれぞれに設けられたタブ４１ｃが吸熱板４１とセパレータ４２との積層方向に重ならないように積層される。また、吸熱板４１及びセパレータ４２は、吸熱積層体４０の中央部を基準として対称的な位置に複数のタブ４１ｃが吸熱板４１とセパレータ４２との積層方向に沿って整列するように積層される。また、吸熱積層体４０の２つのタブ群４３は、吸熱積層体４０のタブ側端面４０ａからケース本体５１に向けて突出している。
【００４０】
図２及び図３に示すように、タブ群４３は、複数のタブ４１ｃが寄せ集められた基端部４３ａと、基端部４３ａから吸熱積層体４０のタブ側端面４０ａに沿って延出している延出部４３ｂとを有している。基端部４３ａは、吸熱積層体４０の積層方向一端寄りに複数のタブ４１ｃが寄せ集められて構成されている。延出部４３ｂは、基端部４３ａから吸熱積層体４０の積層方向他端寄りに向けて延出している。
【００４１】
図３に示すように、吸熱積層体４０がケース５０に収容された状態で、吸熱積層体４０のタブ群４３の延出部４３ｂと、ケースの内面としてのケース本体５１の底壁５３の内底面５１ａとの間には、伝熱性を有する板状の集熱板６０が挟み込まれている。集熱板６０は、例えば金属製の板部材である。なお、吸熱積層体４０が集熱板６０とともに収容された状態で、吸熱積層体４０のタブ側端面４０ａと反対側の端面４０ｂと、ケース５０の蓋部材５２のケース本体５１の内部に臨む下面５２ａとの間には、空間が形成されている。
【００４２】
吸熱構造体３０には、ケース５０の内部と外部とを連通する連通部７０が設けられている。連通部７０は、蓋部材５２に設けられている。連通部７０は、例えば円筒状の配管である。連通部７０上には、第２電磁弁３２が設けられている。第２電磁弁３２は、電力が供給されているときに連通部７０を閉塞し、電力が供給されていないときに連通部７０を開放する機能を有している。また、第２電磁弁３２を基準として連通部７０のケース５０と反対側には、オリフィス弁８０が設けられている。なお、第２電磁弁３２は、収容部１０の内部で注液工程が実施されるときには常に電力が供給されて閉じられている。
【００４３】
複数の吸熱構造体３０が互いに隣り合うように収容部１０の底面１０ａに並べられている状態において、ケース本体５１の底壁５３から立設された４つの側壁５１ｂのうちの１つの側壁５１ｂは、収容部１０の底面１０ａに載置された状態になる。そして、吸熱構造体３０の連通部７０は、隣に配置される吸熱構造体３０に対向している。
【００４４】
吸熱構造体３０は、収容部１０の内部の熱を吸収するための板状の吸熱部材９０を備えている。吸熱部材９０は、ケース本体５１の４つの側壁５１ｂのうち、収容部１０の底面１０ａに載置された側壁５１ｂと対となる側壁５１ｂに固定されている。また、吸熱部材９０は、ケース本体５１の側壁５１ｂの一方が収容部１０の底面１０ａに載置されている状態で、隣に配置される吸熱構造体３０の連通部７０が対向しているケース５０の壁面としてのケース本体５１の底壁５３の外底面５１ｃにも設けられている。
【００４５】
図２に示すように、吸熱部材９０は、吸熱部材９０の上面９０ａに複数の吸熱フィン９１を備えている。複数の吸熱フィン９１は、千鳥配列されている。吸熱フィン９１は、吸熱積層体４０の積層方向に沿って切断したときの断面が台形状をなす凸部である。
【００４６】
本実施形態では以下の作用及び効果を得ることができる。
（１）本実施形態では、停電等により除湿機１０３に電力が供給されず、収容部１０の空間Ｓの除湿ができなくなると、まず第１電磁弁３１により収容部１０の供給経路２１及び循環経路２２が閉塞される。これにより、収容部１０の空間Ｓに存在する除湿された空気は、収容部１０の外部に排出されることが規制される。また、吸熱構造体３０を構成する第２電磁弁３２が連通部７０を開放する。次に、除湿機１０３が機能しなくなり収容部１０の温度が上昇すると、収容部１０の熱がケース５０を介して吸熱積層体４０を構成する水素吸蔵合金４１ｂに伝わる。水素吸蔵合金４１ｂに熱が伝わると、水素吸蔵合金４１ｂは熱を吸熱し自身が吸収していた水素をセパレータ４２に形成された多くの気孔を介してケース５０の内部に放出する。これにより収容部１０の空間Ｓの温度が低く保たれる。したがって、無電力で収容部１０の空間の除湿環境を維持することができる。
【００４７】
（２）例えば、蓄電装置９５は、板状の正極と板状の負極とを板状のセパレータにより絶縁された状態で積層されてなる電極組立体を有している。正極及び負極の少なくとも一方の面には、活物質層が形成される。
【００４８】
本実施形態では、吸熱積層体４０の吸熱板４１を金属箔４１ａの両面に水素吸蔵合金４１ｂを設けることで構成している。すなわち、上記した蓄電装置９５を構成する電極組立体と同様の構成を有している。そのため、吸熱積層体４０の製造が簡易的である。
【００４９】
（３）本実施形態では、複数の吸熱構造体３０が互いに隣り合うように並べられている。このため、吸熱構造体３０の第２電磁弁３２を通じて収容部１０の空間Ｓに放出される水素を隣り合う吸熱構造体３０のケース５０の壁面に衝突させて収容部１０の上方に向けて拡散させやすくなる。よって、収容部１０の空間Ｓの空気中に水素を拡散させやすくなる。よって、収容部１０で行われる注液工程で用いる電解液Ｏｓをより水分に触れ難く難くすることができる。したがって、蓄電装置９５の性能が低下することをより好適に抑制できる。
【００５０】
（４）本実施形態では、複数の吸熱フィン９１をケース５０の壁面に設けている。そのため、ケース５０が吸熱フィン９１を備えない場合と比べてケース５０が収容部１０の空間Ｓの空気と接触する表面積を大きくすることができる。よって、ケース５０の内部に収容された吸熱積層体４０に対して熱をより伝達しやすくなる。したがって、吸熱構造体３０の作用を好適に発揮することができる。
【００５１】
（５）本実施形態では、吸熱構造体３０のケース５０には、隣り合う吸熱構造体３０の連通部７０が対向しているケース本体５１の外底面５１ｃに吸熱フィン９１が設けられている。そのため、吸熱構造体３０の第２電磁弁３２を通じて収容部１０の空間Ｓに放出される水素を隣り合う吸熱構造体３０のケース本体５１の外底面５１ｃに当てて収容部１０の上方に向けて拡散させやすくなるとともに、ケース本体５１の外底面５１ｃに設けられた吸熱フィン９１に隣り合う吸熱構造体３０から放出される水素が衝突する。吸熱フィン９１に水素が衝突するとき、水素は収容部１０の空間Ｓの空気も巻き込んで吸熱フィン９１に衝突することになる。そのため、吸熱フィン９１に衝突する空気の量も多くなる。したがって、吸熱フィン９１の収容部１０の空間Ｓの熱を吸収する効果がより促進され、ケース５０の内部に収容された吸熱積層体４０に対して熱を伝達する作用をより促進させることができる。
【００５２】
（６）本実施形態では、集熱板６０が吸熱積層体４０のタブ群４３とケース５０の内底面５１ａとの間に挟み込まれているため、収容部１０の空間Ｓの熱がケース５０及び集熱板６０を介してタブ群４３に伝達され、ひいては吸熱積層体４０の水素吸蔵合金４１ｂに伝わる。吸熱積層体４０のタブ群４３及び集熱板６０が熱を水素吸蔵合金４１ｂに伝えるための経路として機能するため吸熱積層体４０の吸熱効率を向上させることができる。
【００５３】
また、タブ群４３は、基端部４３ａから吸熱積層体４０のタブ側端面４０ａに沿って折れ曲がった形状を有している。そのため、タブ群４３の延出部４３ｂは折れ曲がった状態からまっすぐな状態に戻ろうとする。いわゆるタブ群４３には、ケース本体５１の内底面５１ａに向けてスプリングバックが発生する。よって、集熱板６０は吸熱積層体４０のタブ群４３によりケース本体５１の内底面５１ａに向けて押圧された状態にすることができる。したがって、ケース本体５１の底壁５３の内底面５１ａに集熱板６０が押圧された状態に維持することができ、且つ集熱板６０の集熱効果を安定させることができる。
【００５４】
（７）ケース５０の内部に放出される水素が収容部１０の空間Ｓに急激に放出されると、収容部１０の空間Ｓの温度が急激に低下する可能性がある。
その点、本実施形態では、連通部７０にオリフィス弁８０を設けている。オリフィス弁８０は、収容部１０の空間Ｓとケース５０の内部の差圧によってケース５０の内部から収容部１０の空間Ｓに水素を放出する。具体的には、ケース５０の内部に吸熱積層体４０から水素が放出されるとケース５０の内部の圧力が上昇する。このとき、オリフィス弁８０が開放され、ケース５０の内部から第２電磁弁３２及びオリフィス弁８０を通じて収容部１０の空間Ｓに水素が放出される。ケース５０の内部の水素が収容部１０の空間Ｓに放出され、ケース５０の内部と収容部１０の空間との圧力が平衡圧となるときオリフィス弁８０が連通部７０を閉塞してケース５０の内部から収容部１０の空間Ｓに向けて水素が放出されなくなる。よって、オリフィス弁８０を設けることによりケース５０の内部から収容部１０の空間Ｓに向けての水素の放出量を調整することができる。したがって、停電等の状況において収容部１０の空間Ｓの除湿環境をより長く維持することができる。
【００５５】
（８）水素吸蔵合金４１ｂは、自身が吸収していた水素をセパレータ４２に形成された多くの気孔を介してケース５０の内部に放出する。ケース５０の内部に放出された水素は、開放されている第２電磁弁３２を介して収容部１０の空間Ｓに排出され、やがて収容部１０の空間Ｓの空気が水素を多く含むようになる。空気が多くの水素を含むことにより収容部１０で行われる注液工程で用いる電解液Ｏｓを分解し難くすることができる。よって、蓄電装置９５の性能が低下することを抑制できる。
【００５６】
（９）水素吸蔵合金４１ｂは酸化しやすいことが一般的に知られている。吸熱積層体４０がケース５０に収容された状態で収容部１０の空間Ｓに設けられていることで水素吸蔵合金４１ｂの酸化が抑制される。よって、吸熱積層体４０の継続使用が可能となる。
【００５７】
なお、本実施形態は、以下のように変更して実施することができる。本実施形態及び以下の変更例は、技術的に矛盾しない範囲で互いに組み合わせて実施することができる。
〇  収容部１０の大きさによって吸熱構造体３０を設置する数を適宜変更するとよい。本実施形態では、金属箔４１ａ及び水素吸蔵合金４１ｂは、一般的に知られている蓄電装置としてのニッケル水素二次電池において使用される負極に採用されているものを使用している。そのため、吸熱積層体４０のサイズには限度があり、水素吸蔵合金４１ｂの大きさにも限度がある。そのため、水素吸蔵合金４１ｂが吸収できる水素の量、ひいては水素吸蔵合金４１ｂが吸熱できる熱の量にも限度がある。よって、収容部１０の大きさによって必要な吸熱量を予め確認し、収容部１０の内部を除湿環境に維持できるだけの吸熱構造体３０を収容部１０の内部に配置することが好ましい。
【００５８】
〇  集熱板６０を割愛した吸熱構造体３０を採用してもよい。この場合、例えば以下のように変更してもよい。
図４に示すように、吸熱板４１を構成する金属箔４１ａの複数のタブ４１ｃのそれぞれをケース本体５１の底壁５３から収容部１０の空間Ｓに向けて貫通させてもよい。このように変更しても収容部１０の空間Ｓの熱は、複数のタブ４１ｃを介して金属箔４１ａに伝わり、ひいては水素吸蔵合金４１ｂに伝わる。また、複数のタブ４１ｃのそれぞれをケース本体５１の底壁５３から貫通させたとき、ケース本体５１と複数のタブ４１ｃとの間は、樹脂４１ｄによりモールドすることが好ましい。なお、本変形例においては、ケース本体５１の外底面５１ｃに固定されていた吸熱部材９０（吸熱フィン９１）を割愛する。
【００５９】
〇  図４に示すように、オリフィス弁８０を割愛した吸熱構造体３０を採用してもよい。
〇  吸熱部材９０の吸熱フィン９１は、吸熱積層体４０の積層方向に沿って切断した断面が台形状をなす凸部であったが、例えば円柱状等の吸熱部材９０の上面９０ａから突出する凸部であればよい。すなわち、吸熱部材９０の上面９０ａが平面であるときと比較して空気と接触する表面積を多くすることができれば吸熱フィン９１はどのように変更してもよい。
【００６０】
〇  ケース本体５１の側壁５１ｂに設けられていた吸熱部材９０（吸熱フィン９１）を割愛した構成を採用してもよい。
〇  複数の吸熱構造体３０の連通部７０が、隣に配置される吸熱構造体３０に対向していなくてもよいし、複数の吸熱構造体３０は、収容部１０の底面１０ａに隣り合うように並べなくてもよい。例えば、収容部１０の底面１０ａに複数の吸熱構造体３０を千鳥配列してもよい。収容部１０の底面１０ａに可能な限り偏りがないように複数の吸熱構造体３０を配置することが好ましい。
【００６１】
〇  吸熱板４１を構成する水素吸蔵合金４１ｂは、金属箔４１ａの両面に設けられていたが、これに限らない。例えば、水素吸蔵合金４１ｂは、金属箔４１ａの少なくとも一方の面に設けられていればよい。ただし、金属箔４１ａの少なくとも一方の面に水素吸蔵合金４１ｂが設けられる場合、セパレータ４２は、水素吸蔵合金４１ｂに接触するように設ける。
【００６２】
〇  吸熱板４１は、金属箔４１ａと、水素吸蔵合金４１ｂとで構成されていたが、これに限らない。例えば、以下のように変更してもよい。
図５に示すように、吸熱板４１は、保持体としての発泡金属４１１と、水素吸蔵合金４１ｂで構成される粒子４１２とで構成されてもよい。発泡金属４１１は、内部に多数の気孔を有する多孔質金属である。発泡金属４１１には、発泡ニッケルが採用されている。粒子４１２は、発泡金属４１１の多数の気孔に充填された状態で保持されている。なお、発泡金属４１１としては発泡ニッケルに限らず、粒子４１２を充填できる発泡金属を採用してもよい。また、発泡金属４１１と粒子４１２とで構成される吸熱板４１を採用するとき、吸熱板４１の内部と外部とを連通する熱媒管４１４を用いることが好ましい。熱媒管４１４は、例えば吸熱板４１とセパレータ４２とが積層された状態で上記の変更例のようにケース５０の底壁５３を貫通するように配置してもよい。
【００６３】
〇  水素吸蔵合金４１ｂは、ランタンニッケルファイブ（ＬａＮｉ５）で構成されていなくてもよい。例えば、ミッシュメタルニッケルファイブ （ＭｍＮｉ５）など２０℃での水素平衡圧力が大気圧以上に構成されていればよい。なお、ミッシュメタルとは、複数の希土類元素の混合物の総称である。
【００６４】
〇  本実施形態では、経路２０は、供給経路２１と、循環経路２２とで構成されていたが、これに限らない。
図６に示すように、例えば経路２０は、供給経路２１と、収容部１０の内部の空気をドライルーム１０１の外部に排出する局所排気経路２６と、ドライルーム１０１の内部であって収容部１０の外部の空気を収容部１０の内部に導入する導入経路２７とで構成されていてもよい。局所排気経路２６及び導入経路２７は、例えば円筒状の配管の内側に形成されている。局所排気経路２６の収容部１０寄りには、第１電磁弁３１が設けられている。導入経路２７の収容部１０寄りには、第１電磁弁３１が設けられている。局所排気経路２６の収容部１０と反対側の端部には、収容部１０の空気をドライルーム１０１の外部に引き込む動力となるファン２８が設けられている。本実施形態では、ファン２８はドライルーム１０１の外部に設置されているが、局所排気経路２６上であれば設置が箇所は適宜変更してもよい。また、導入経路２７の収容部１０と反対側の端部には、本実施形態のファン２３と吸着部２４とを一体化したファンフィルタユニット（ＦＦＵ）２９が配置されている。このような構成であっても停電等が発生したら、第１電磁弁３１が局所排気経路２６と導入経路２７とを閉塞する。なお、ファン２８は常に動作しており、局所排気経路２６を通じて収容部１０の内部の空気をドライルーム１０１の外部に排出している。そこで、局所排気経路２６の直径は、収容部１０の空間Ｓの除湿環境が維持される程度に設定されている。
【００６５】
〇  本実施形態では、収容部１０の内部では、注液工程が実施されていたが、例えば塗工工程や、ガス抜き工程であってもよい。例えば、上記各実施形態で塗工工程が実施されるとすると、蓄電装置９５を構成する電極は、活物質合剤がむき出しの状態になる。その点、本実施形態では、停電等により除湿機１０３に電力が供給されない状態であっても収容部１０の内部の除湿環境を維持することができるため、蓄電装置９５の性能の低下だけでなく、収容部１０の空間Ｓに存在する有機溶剤を使用している製品、例えば電極等の性能の低下も抑制できる。
【符号の説明】
【００６６】
１…無電力温度調整設備、１０…収容部、１０ａ…収容部の底面、２０…経路、２１…供給経路、２２…循環経路、２６…局所排気経路、２７…導入経路、３０…吸熱構造体、３１…第１電磁弁、３２…第２電磁弁、４０…吸熱積層体、４１…吸熱板、４１ａ…金属箔、４１ｂ…水素吸蔵合金、４１ｃ…タブ、４２…セパレータ、４３…タブ群、４３ａ…基端部、４３ｂ…延出部、５０…ケース、５１…ケース本体、５１ａ…ケースの内面としてのケース本体の底壁の内底面、６０…集熱板、７０…連通部、８０…オリフィス弁、９１…吸熱フィン、９５…蓄電装置、１０３…除湿機、４１１…発泡金属、４１２…水素吸蔵合金としての粒子、Ｓ…空間、Ｏｓ…有機溶剤としての電解液。
【図１】
2020115057.tif 000003
【図２】
2020115057.tif 000004
【図３】
2020115057.tif 000005
【図４】
2020115057.tif 000006
【図５】
2020115057.tif 000007
【図６】
2020115057.tif 000008